(57)【要約】【課題】動かされた瞬間に盗難にあっていることが把握でき、より早く盗難防止を行うことができる無線端末および無線通信システムを提供することにある。【解決課題】無線端末は、ＭＡＣ層での信号処理を行うＭＡＣ部１１１、送信データの変調または受信データの復調を行う変復調部１１２、アンテナおよびＲＦ部１１３、受信信号の特徴に対して過去に受信を行った信号の特徴と比較を行い、各々の特徴に対して比較を行った結果から伝送路１３の変化が生じたかの判断を行う特徴検出部１１４と、変化が生じたとの判断の結果に対してアラームを鳴らすあるいは電源を落とす等のアクションを行うアクション装置１１５とを有する。【選択図】      図１
2005328199.tif 000002
【特許請求の範囲】
【請求項１】
伝送路を通して信号を受信する無線端末であって、
受信信号の復調を行う復調部と、
上記復調部で復調された受信信号の特徴を検出し、検出した受信信号の特徴が所定の特徴データに対して変化が生じたか否かを判断する特徴検出部と、
上記特徴検出部で検出した特徴に変化が生じたと判断すると所定のアクションを行うアクション装置と
を有する無線端末。
【請求項２】
上記特徴検出部は、受信信号の特徴に対して過去に受信を行った信号の特徴と比較を行い、各々の特徴に対して比較を行った結果から伝送路の変化が生じたかの判断を行う
請求項１記載の無線端末。
【請求項３】
上記受信信号の特徴は、無線通信環境の変化によって変化する送信側と受信側で特有の値である
請求項１記載の無線端末。
【請求項４】
上記特有の値は、信号雑音比（ＳＮＲ）、伝送路の振幅・位相特性、周波数オフセット、サンプリングオフセットの少なくとも一つである
請求項３記載の無線端末。
【請求項５】
無線端末とアクセスポイントを有する無線通信システムであって、
上記無線端末が定期的に信号を送信する信号送信手段を備え、
上記アクセスポイントは、上記アクセスポイントの信号の特徴検出を行い、検出した特徴に変化が生じたと判断すると所定のアクションを行う
無線通信システム。
【請求項６】
上記信号送信手段において、送信信号はビーコン信号を含む
請求項５記載の無線通信システム。
【請求項７】
上記アクセスポイントは、
受信信号の復調を行う復調部と、
上記復調部で復調された受信信号の特徴を検出し、検出した受信信号の特徴が所定の特徴データに対して変化が生じたか否かを判断する特徴検出部と、
上記特徴検出部で検出した特徴に変化が生じたと判断すると所定のアクションを行うアクション装置と、を含む
請求項５記載の無線通信システム。
【請求項８】
上記特徴検出部は、受信信号の特徴に対して過去に受信を行った信号の特徴と比較を行い、各々の特徴に対して比較を行った結果から伝送路の変化が生じたかの判断を行う
請求項７記載の無線通信システム。
【請求項９】
上記受信信号の特徴は、無線通信環境の変化によって変化する送信側と受信側で特有の値である
請求項７記載の無線通信システム。
【請求項１０】
上記特有の値は、信号雑音比（ＳＮＲ）、伝送路の振幅・位相特性、周波数オフセット、サンプリングオフセットの少なくとも一つである
請求項９記載の無線通信システム。
【請求項１１】
無線端末とアクセスポイントを有する無線通信システムであって、
上記アクセスポイントが定期的に信号を送信する信号送信手段を備え、
上記無線端末は、上記アクセスポイントの信号の特徴検出を行い、検出した特徴に変化が生じたと判断すると所定のアクションを行う
無線通信システム。
【請求項１２】
上記信号送信手段において、送信信号はビーコン信号を含む
請求項１１記載の無線通信システム。
【請求項１３】
上記無線端末は、
受信信号の復調を行う復調部と、
上記復調部で復調された受信信号の特徴を検出し、検出した受信信号の特徴が所定の特徴データに対して変化が生じたか否かを判断する特徴検出部と、
上記特徴検出部で検出した特徴に変化が生じたと判断すると所定のアクションを行うアクション装置と、を含む
請求項１１記載の無線通信システム。
【請求項１４】
上記特徴検出部は、受信信号の特徴に対して過去に受信を行った信号の特徴と比較を行い、各々の特徴に対して比較を行った結果から伝送路の変化が生じたかの判断を行う
請求項１３記載の無線通信システム。
【請求項１５】
上記受信信号の特徴は、無線通信環境の変化によって変化する送信側と受信側で特有の値である
請求項１３記載の無線通信システム。
【請求項１６】
上記特有の値は、信号雑音比（ＳＮＲ）、伝送路の振幅・位相特性、周波数オフセット、サンプリングオフセットの少なくとも一つである
請求項１５記載の無線通信システム。
【請求項１７】
インフラストラクチャの無線通信システムであって、
無線端末は、他の無線端末の信号の特徴検出を行い、検出した特徴に変化が生じたと判断すると所定のアクションを行う
無線通信システム。
【発明の詳細な説明】
【技術分野】
【０００１】
本発明は、無線ＬＡＮ等の無線通信システムに係り、特に、盗難対策機能を備えたむ無線端末および無線通信システムに関するものである。
【背景技術】
【０００２】
近年の無線ＬＡＮの普及は目覚しく、通信分野において重要な役割を担ってきている。一般的な無線通信システムを図６に示す。
【０００３】
図６の無線通信システムは、無線端末１と無線端末２が伝送路３で接続されている。
無線端末１は、ＭＡＣ層での信号処理を行うＭＡＣ部４、送信データの変調または受信データの復調を行う変復調部５、アンテナおよびＲＦ部６を有する。同様に、無線端末２は、アンテナおよびＲＦ部７、送信データの変調または受信データの復調を行う変復調部８、ＭＡＣ層での信号処理を行うＭＡＣ部９を有する。
【０００４】
たとえば、無線端末１に存在する図示しないホストＣＰＵの命令によって、ＭＡＣ層に入力された信号は、ＭＡＣ部４において入力データに対してＭＡＣヘッダーを挿入し、変復調部５にデータを出力する。変復調部５では、所定の変調を行い、ＲＦ部６にて搬送周波数にデータをのせ、送信される。
送信電波は、伝送路３を通り、無線端末２のＲＦ部７で無線端末１からの電波を受信する。その後、変復調部８で復調され、ＭＡＣ部９でＭＡＣヘッダーの処理を行い、図示しないホストＣＰＵに信号が送られる。
なお、ＭＡＣ部の信号処理は、ホストＣＰＵにて行われる場合もあるが、いずれにしても上記のシステムの流れは同様である。
【０００５】
ところで、モバイル機器の普及にともない、盗難防止対策の重要性が高まってきている。
たとえば、各モバイル機器自体を机に固定するなどの盗難防止対策をするといった対策が考えられるが、盗難防止対策のために、毎日固定をする手間がかかる、固定されていたとしても工具等を利用することで解除可能であることから、十分とはいえない。
【０００６】
そこで、特許文献１では、無線端末と無線センタサーバ間で定期的に信号をやり取りし、無線センタサーバで信号強度を検出し、信号強度が一定値を下回ったことを検出したときに、警報画面を表示する、前記無線端末のＥＳＳＩＤまたはＭＡＣアドレスを記憶、印字するといった方法が提案されている。
【特許文献１】特開２００２−３３０１３９号公報
【発明の開示】
【発明が解決しようとする課題】
【０００７】
しかしながら、特許文献１に開示された信号強度を検出する方法では、無線端末が持ち出され、盗難者がその部屋から逃げる直前に、警報画面が出ても、すでに持ち運ばれており手遅れになってしまう可能性がある。
【０００８】
本発明は、かかる事情に鑑みてなされたものであり、その目的は、動かされた瞬間に盗難にあっていることが把握でき、より早く盗難防止を行うことができる無線端末および無線通信システムを提供することにある。
【課題を解決するための手段】
【０００９】
上記目的を達成するため、本発明の第１の観点は、伝送路を通して信号を受信する無線端末であって、受信信号の復調を行う復調部と、上記復調部で復調された受信信号の特徴を検出し、検出した受信信号の特徴が所定の特徴データに対して変化が生じたか否かを判断する特徴検出部と、上記特徴検出部で検出した特徴に変化が生じたと判断すると所定のアクションを行うアクション装置とを有する。
【００１０】
好適には、上記特徴検出部は、受信信号の特徴に対して過去に受信を行った信号の特徴と比較を行い、各々の特徴に対して比較を行った結果から伝送路の変化が生じたかの判断を行う。
【００１１】
好適には、上記受信信号の特徴は、無線通信環境の変化によって変化する送信側と受信側で特有の値である。
【００１２】
好適には、上記特有の値は、信号雑音比（ＳＮＲ）、伝送路の振幅・位相特性、周波数オフセット、サンプリングオフセットの少なくとも一つである。
【００１３】
本発明の第２の観点は、無線端末とアクセスポイントを有する無線通信システムであって、上記無線端末が定期的に信号を送信する信号送信手段を備え、上記アクセスポイントは、上記アクセスポイントの信号の特徴検出を行い、検出した特徴に変化が生じたと判断すると所定のアクションを行う。
【００１４】
本発明の第３の観点は、無線端末とアクセスポイントを有する無線通信システムであって、上記アクセスポイントが定期的に信号を送信する信号送信手段を備え、上記無線端末は、上記アクセスポイントの信号の特徴検出を行い、検出した特徴に変化が生じたと判断すると所定のアクションを行う。
【００１５】
好適には、上記信号送信手段において、送信信号はビーコン信号を含む
【００１６】
本発明の第４の観点は、インフラストラクチャの無線通信システムであって、無線端末は、他の無線端末の信号の特徴検出を行い、検出した特徴に変化が生じたと判断すると所定のアクションを行う。
【００１７】
本発明によれば、信号強度を検出するのではなく、無線端末が移動されたことで変化するＳＮＲ、伝送路の振幅・位相特性、周波数オフセット、サンプリングオフセットといった受信信号の特徴を検出し、特徴に変化が生じた場合には、たとえば無線端末に触れただけ、無線端末の近くに近づいた地点で、警報を鳴らす、パスワードのロックをかける、電源を落とすといったアクションを行う。
【発明の効果】
【００１８】
本発明によれば、無線通信システムにおいて、受信信号の特徴を検出することで、無線端末が動かされた瞬間に盗難にあっていることが把握でき、より早く盗難防止を行うことができる。
また、無線通信システムにおいて、受信信号の特徴を検出することで、無線端末のアンテナが動いた瞬間にパスワードロックをかけることができ、ユーザに負担をかけることなく、セキュリティ対策を行うことができる。
また、無線通信システムにおいて、受信信号の特徴を検出することで、無線端末が持ち出されなくとも伝送路の変化を把握できることで、盗難者が無線端末とアクセスポイント、各々の装置を結ぶチャネル周辺に現れたことを発見でき、より早く盗難防止を行うことができる。
また、無線通信システムにおいて、一部の装置を変更するだけで、従来のシステムや規格を用いることができ、安価に盗難防止の対策を行うことができる。
【発明を実施するための最良の形態】
【００１９】
以下、本発明の実施形態を図面に関連付けて説明する。
【００２０】
＜第１実施形態＞
図１は、本発明に係る無線通信システムの第１の実施形態を示すブロック図である。
図１は、アドホックネットワークの場合を示している。
【００２１】
図１の無線通信システム１０においては、無線端末１１と無線端末１２とが伝送路１３により接続されている。無線端末１１および１２はいずれもステーションである。
【００２２】
無線端末１１は、ＭＡＣ層での信号処理を行うＭＡＣ部１１１、送信データの変調または受信データの復調を行う変復調部１１２、アンテナおよびＲＦ部１１３、受信信号の特徴に対して過去に受信を行った信号の特徴と比較を行い、各々の特徴に対して比較を行った結果から伝送路１３の変化が生じたかの判断を行う特徴検出部１１４と、変化が生じたとの判断の結果に対してアラームを鳴らすあるいは電源を落とす等のアクションを行うアクション装置１１５を有している。
【００２３】
無線端末１２は、ＭＡＣ層での信号処理を行うＭＡＣ部１２１、送信データの変調または受信データの復調を行う変復調部１２２、アンテナおよびＲＦ部１２３、受信信号の特徴に対して過去に受信を行った信号の特徴と比較を行い、各々の特徴に対して比較を行った結果から伝送路１３の変化が生じたかの判断を行う特徴検出部１２４と、変化が生じたとの判断の結果に対してアラームを鳴らすあるいは電源を落とす等のアクションを行う（アクション装置１２５を有している。
【００２４】
伝送路の変化は、送信機側、もしくは受信機側が移動することにより変化する。また、送信機と受信機を結ぶチャネルに何者かが現れるといった現象により変化する。この変化量により、送信機あるいは受信機が盗難にあっている、または不審人物が無線通信システム内に現れたことが判断できる。
【００２５】
本実施形態に係る無線通信システム１０において、無線端末１１または無線端末１２のいずれかが、ある一定の時間間隔でもう一方の無線端末に信号を伝送路１３を通して送信する。この信号はビーコン信号でもかまわない。
また、一定の間隔で必ずしも同一の無線端末が送信を行う必要はなく、たとえば、８０２．１１の無線通信規格のように、自立分散的に行われてもかまわない。
本実施形態では、無線端末１１がビーコン受信を行っており、無線端末１２がビーコン送信を行っていると仮定する。ビーコン送信を行った信号は伝送路１３を通り、無線端末１１で受信を行う。復調は変復調部１１２で行われる。この際、変復調部１１２で無線端末１２で送信された信号の特徴量を求める。
【００２６】
図２は、無線端末におけるＲＦ部１１３および変復調部１１２の具体的な構成例を示すブロック図である。
ここでは、復調方式として一例として複数の直交する副搬送波の信号を多重化するデジタル信号の復調方式、すなわち、直交周波数分割多重化（ＯＦＤＭ；Orthogonal Frequency Division Multiplexing）の復調方式を採用しているが、この方式はＯＦＤＭ復調に限ったものではない。
【００２７】
ＯＦＤＭ変調方式はマルチキャリア変調方式の一種であり、この例の送信装置となる無線端末１２では、直列の符号化データを隣接するデータ間で互いに直交する多数のサブキャリアに対応する並列の符号化データ（情報シンボル）に変換し、この情報シンボルをマッピング処理により直交座標に割り当て（以下、この割り当てられた情報シンボルを「コンステレーション」という）、それぞれ逆フーリエ変換（周波数領域を時間領域に変換）によってデジタル変調波に変換した後に、各々を加算することでＯＦＤＭ信号を生成し送信する。
また、本例で受信装置となる無線端末１１は、受信したＯＦＤＭ信号を送信時とは逆の処理を施すことにより元の符号化データを得る。
【００２８】
図２に示すＲＦ部１１３および変復調部１１２は、アンテナ１１３ａ、ＲＦ部１１３、アナログ／デジタル（Ａ／Ｄ）変換部(A/D) １１２１、同期検出回路(sync)１１２２、高速フーリエ変換部(FFT) １１２３、等化器 (equalizer)１１２４、デマッパ部(demapper)１１２５、デインタリーブ部 (de-interleave)１１２６、デパンクチャ部 (de-puncture)１１２７、ビタビ復号部(vitabi)１１２８、およびデスクランブラ部(de-scrambler)１１２９を有する。
【００２９】
ＲＦ部１１３は、アンテナ１１３ａからのＯＦＤＭ信号を入力すると、内蔵の局部発振器（不図示）で発生される局部発振信号によってＯＦＤＭ信号を直交復調することにより、無線周波数帯域のＯＦＤＭ信号を中間周波数帯域または基底帯域（ベースバンド）のＯＦＤＭ信号に周波数変換する。
ＲＦ部１１３は、中間周波数帯域に変換する場合は中間周波数帯域での各種処理を行った後、さらに周波数帯域をベースバンドに変換する。ベースバンドのＯＦＤＭ信号はＡ／Ｄ変換部１１２１に送られる。
周波数変換後のＯＦＤＭ信号はＡ／Ｄ変換部１１２１でデジタル信号に変換され、同期検出回路(sync)１１２２で同期検出される。ここで「同期検出」とは、パケットの先頭に存在するプリアンブル部の信号（ショートプリアンブル）を用いて、その後のＯＦＤＭ復調処理のタイミングを決定することである。
また、同期検出回路１１２２では、周波数オフセットもある程度補正される。ここで「周波数オフセット」とは、受信機側のＲＦ部 (R/F)１１３内で局部発振器の周波数とダウンコンバートされた周波数信号の中心周波数との和が図示しない送信装置側の局部発振器の周波数とずれ、高速フーリエ変換部 (FFT)１１２３から出力される信号の実数部データと虚数部データからなる復調ベクトルに誤差が生じ、その結果、サブキャリア間の相互干渉が発生することをいう。
同期検出回路(sync)１１２２で同期検出および周波数オフセットが補正されたデータは高速フーリエ変換 (FFT)部１１２３に入力され、時間領域の信号から周波数領域の信号に変換される。
【００３０】
等化器 (equalizer)１１２４はＦＦＴの後で信号処理を行い、（１）マルチパスによる初期位相および初期振幅の補正、（２）残留周波数オフセットの補正、（３）サンプリングオフセットの補正を行っている。
ここで「サンプリングオフセット」とは、図２に示すＡ／Ｄ変換部１１２１や高速フーリエ変換部(FFT) １１２３でのサンプリング周波数が受信機側のサンプリング周波数とずれていることによって、周波数オフセットと同様にＦＦＴ後に復調ベクトルに誤差が生じることをいう。
【００３１】
等化器 (equalizer)１１２４で補正されたデータはデマッパ部(demapper)１１２５でコンスタレーションがデマッピングされる。すなわち、送信装置側のマッピング処理で直交座標上に情報シンボルとして対応付けられる前の元の符号化データが復元される。
続くデインタリーブ部１１２６では、バースト的に発生する伝送路エラーに強くするために送信装置側でインターリーブ（ビット並べ替え）されたデータが元の符号化データに復元される。
続くデパンクチャ部 (de-puncture)１１２７では、送信装置側での畳み込み符号化の符号化率を上げるためになされたパンクチャ処理（ビットの間引き）を逆に戻す処理が実行され、さらにビタビ復号部(vitabi)１１２８で畳み込み符号化を戻すビタビ複合法が実行され、その後、デスクランブラ部(de-scrambler)１１２９でスクランブル符号化が戻され、これにより元の送信用符号化データが得られる。
【００３２】
ここで等化器７が補正する「マルチパスによる初期位相および初期振幅」とは、マルチパスが存在する場合に受信点で複数の電波が干渉し合い振幅や位相に急激な変動が生じたものである。
また、「残留周波数オフセット」とは、ベースバンド信号を得るための周波数変換に用いる基準周波数が正確でないために生じた周波数オフセットのうち、同期検出回路(sync)５で周波数補正しきれずに残留した周波数オフセットである。
さらに、「サンプリングオフセット」とは、Ａ／Ｄ変換処理、デジタル／アナログ（Ｄ／Ａ）変換処理におけるサンプリング周波数の不一致により生じるオフセットのことである。
これらは、マッピングされたデータのコンスタレーションを広げ、誤り率の上昇を引き起こす。
したがって、通常、無線ＬＡＮシステムでは、サンプリングオフセットおよび周波数オフセットの値をパケット毎・シンボル毎に計算し、オフセットの補正を行っている。
【００３３】
図３は、一例としてＩＥＥＥ８０２．１１ａ規格で規定されたＯＦＤＭ信号のパケット構造を示す図である。
図３に示すＯＦＤＭ信号は、プリアンブル部を構成するロングシンボル(long symbol)
＃１と＃２、ヘッダ部を構成するシグナルフィールド(SIGNAL FIELD)、および、データ部を構成する多数のデータシンボル(1st OFDM ，…) を有する。ロングシンボル(long symbol) ＃１や＃２、シグナルフィールドおよび各データシンボルは、それぞれサンプリング周波数に応じたＮ個のサンプリングデータから構成され一定のシンボル長を有する。各シンボルの先頭部分（図３の左側部分）には、マルチパス環境で遅延があっても所望のデータがＦＦＴ窓位相内に収まるように後頭部の一部をコピーして形成されたガードインターバル（ＧＩ）が付加されている。
また、とくに図示しないがヘッダ部には、所定数のサブキャリアごとに１０個のショートシンボルがロングシンボル＃１より前に付加されている。
【００３４】
なお、とくに図３に示すパケットが、周波数が等間隔で異なる所定数（ＩＥＥＥ８０２．１１ａ規格では、たとえば５２波）のサブキャリアに割り当てられるとしたときに、データが格納されている４８波のサブキャリアの間にほぼ一定周波数間隔で割り当てられた４波のサブキャリアにパイロット信号が埋め込まれている。
パイロット信号は、データ部が基準シンボルで置き換えられた構成を有し、通常は、ＯＦＤＭ復調時に無線周波数のずれを追従するための基準信号として用いられる。
また、自動利得制御（ＡＧＣ）などに用いられるショートシンボルは、ＡＧＣ動作を安価な局部発振器で行うことを考慮して全体で１２波のサブキャリアと数が間引かれて配置されている。
【００３５】
ここで、上記の補正量は、送受信機が静止しており、かつ伝送路に変化がない場合は、一般的には同一である。
上記（１）の補正量は、図３に示すようなロングシンボルとよばれるプリアンブル信号から計算を行い、（２）および（３）の補正量は、一般的にはデータ信号内に存在するパイロットシンボルから計算を行う。
受信機側１１もしくは送信機側１２が移動した場合、もしくは伝送路１３が変化した場合、上記の補正量は変化する。
本実施形態の無線通信システムは、以上の補正量を例として、ＳＮＲ、伝送路の振幅・位相特性、周波数オフセット、サンプリングオフセットといった補正量の変化を計算の変化を計算することで、盗難対策を行うことができるシステムである。
【００３６】
図２を例にあげると、高速フーリエ変換部 (FFT)１１２３の出力信号Ｓ１１２３ｂは、ロングシンボルのデータであり、このデータから伝送路の振幅・位相の情報が得られる。また、等化器(equalizer) １１２４の出力信号Ｓ１１２４ｂは、周波数オフセット・サンプリングオフセットのデータである。
これらの信号Ｓ１１２３ｂ，Ｓ１１２４ａを入力信号として特徴検出部１１４において、伝送路１３に変化がないかの検出を行う。変化があると特徴検出部１１４が判断した場合、アクション装置１１５に制御信号Ｓ１１４が出力される。
【００３７】
以上のような補正量の変化に着目することで、無線端末に触れただけ、無線端末の近くに近づいた地点で、警報を鳴らす、パスワードのロックをかける、電源を落とすといったアクションを無線端末１１，１２のアクション装置１１５または１２５で行うことで、盗難と同時、もしくは盗難に会う前にアクションを行うことが可能となり、より安全で俊敏な盗難対策を行うことが可能となる。
【００３８】
＜第２実施形態＞
図４は、本発明に係る無線通信システムの第２の実施形態を示すブロック図である。
図４は、インフラストラクチャネットワークの場合の無線通信システム２０の構成を示している。
【００３９】
本第２の実施形態に係る無線通信システム２０は、ステーション（無線端末）２１とアクセスポイント２２とが伝送路２３で接続されている。
この場合、ステーション２１がある一定の時間間隔でアクセスポイント２２に信号を送信する。ここで、ステーション２１は、通常の無線端末であっても、図１の無線端末（ステーション）１１のような無線端末であってもかまわない。
【００４０】
無線端末２１は、ＭＡＣ層での信号処理を行うＭＡＣ部２１１、送信データの変調または受信データの復調を行う変復調部２１２、およびアンテナおよびＲＦ部２１３を有している。
【００４１】
アクセスポイント２２は、ＭＡＣ層での信号処理を行うＭＡＣ部２２１、送信データの変調または受信データの復調を行う変復調部２２２、アンテナおよびＲＦ部２２３、受信信号の特徴に対して過去に受信を行った信号の特徴と比較を行い、各々の特徴に対して比較を行った結果から伝送路２３の変化が生じたかの判断を行う特徴検出部２２４と、変化が生じたとの判断の結果に対してアラームを鳴らすあるいは電源を落とす等のアクションを行うアクション装置２２５を有している。
【００４２】
本第２の実施形態においては、アクセスポイント２２が特徴検出部２２４にて補正量の変化が生じたことを認知した場合、アクション装置２２５では、無線端末に触れただけ、無線端末の近くに近づいた地点で、警報を鳴らす、パスワードのロックをかける、電源を落とすといったアクションを行うことが可能である。
また、アクセスポイント２２は、一般的に有線で他のネットワークとつながっているので、他のネットワーク２４に盗難されている可能性があることを伝えることができる。
【００４３】
＜第３実施形態＞
図５は、本発明に係る無線通信システムの第２の実施形態を示すブロック図である。
図５は、インフラストラクチャネットワークの場合の無線通信システム３０の構成を示している。
【００４４】
本第３の実施形態に係る無線通信システム３０は、ステーション（無線端末）３１とアクセスポイント３２とが伝送路３３で接続されている。
この場合、アクセスポイント３２が一定の時間間隔でステーション３１に信号を送信する。ここでの信号は、ビーコン信号であってもかまわない。
【００４５】
ステーション３１は、ＭＡＣ層での信号処理を行うＭＡＣ部３１１、送信データの変調または受信データの復調を行う変復調部３１２、アンテナおよびＲＦ部３１３、受信信号の特徴に対して過去に受信を行った信号の特徴と比較を行い、各々の特徴に対して比較を行った結果から伝送路２３の変化が生じたかの判断を行う特徴検出部３１４と、変化が生じたとの判断の結果に対してアラームを鳴らすあるいは電源を落とす等のアクションを行うアクション装置３１５を有している。
【００４６】
アクセスポイント３２は、ＭＡＣ層での信号処理を行うＭＡＣ部３２１、送信データの変調または受信データの復調を行う変復調部３２２、およびアンテナおよびＲＦ部３２３を有している。
【００４７】
本第３の実施形態においては、ステーション３１が特徴検出部３１４にて補正量の変化が生じたことを認知した場合、アクション装置３１５では、無線端末に触れただけ、無線端末の近くに近づいた地点で、警報を鳴らす、パスワードのロックをかける、電源を落とすといったアクションを行うことが可能である。
【００４８】
以上説明したように、本実施形態によれば、以下の効果を得ることができる。
無線通信システムにおいて、受信信号の特徴を検出することで、無線端末が動かされた瞬間に盗難にあっていることが把握でき、より早く盗難防止を行うことができる。
無線通信システムにおいて、受信信号の特徴を検出することで、無線端末のアンテナが動いた瞬間にパスワードロックをかけることができ、ユーザに負担をかけることなく、セキュリティ対策を行うことができる。
無線通信システムにおいて、受信信号の特徴を検出することで、無線端末が持ち出されなくとも伝送路の変化を把握できることで、盗難者が無線端末とアクセスポイント、各々の装置を結ぶチャネル周辺に現れたことを発見でき、より早く盗難防止を行うことができる。
無線通信システムにおいて、一部の装置を変更するだけで、従来のシステムや規格を用いることができ、安価に盗難防止の対策を行うことができる。
【図面の簡単な説明】
【００４９】
【図１】本発明に係る無線通信システムの第１の実施形態を示すブロック図である。
【図２】本実施形態に係る無線端末におけるＲＦ部および変復調部の具体的な構成例を示すブロック図である。
【図３】ＩＥＥＥ８０２．１１ａ規格で規定されたＯＦＤＭ信号のパケット構造を示す模式図である。
【図４】本発明に係る無線通信システムの第２の実施形態を示すブロック図である。
【図５】本発明に係る無線通信システムの第３の実施形態を示すブロック図である。
【図６】一般的な無線通信システムの構成例を示すブロック図である。
【符号の説明】
【００５０】
１０…無線通信システム、１１，１２…無線端末、１１１，１２１…ＭＡＣ部、１１２，１２２…変復調部、１１３，１２３…ＲＦ部、１１４，１２４…特徴検出部、１１５，１２５…制御部（アクション装置）、１１３ａ…アンテナ、１１２１…Ａ／Ｄ変換部、１１２２…同期検出回路、１１２３…高速フーリエ変換部、１１２４…等化器、１１２５…デマッパ部、１１２６…デインタリーブ部、１１２７…デパンクチャ部、１１２８…ビタビ復号部、１１２９…デスクランブラ部、２０…無線通信システム、２１…ステーション（無線端末）、２２…アクセスポイント、２１１，２２１…ＭＡＣ部、２１２，２２２…変復調部、２１３，２２３…ＲＦ部、２２４…特徴検出部、２２５…アクション装置、３０…無線通信システム、３１…ステーション（無線端末）、３２…アクセスポイント、３１１，３２１…ＭＡＣ部、３１２，２２２…変復調部、３１３，３２３…ＲＦ部、３１４…特徴検出部、３１５…アクション装置。
【図１】
2005328199.tif 000003
【図２】
2005328199.tif 000004
【図３】
2005328199.tif 000005
【図４】
2005328199.tif 000006
【図５】
2005328199.tif 000007
【図６】
2005328199.tif 000008